【事件の表示】
　特願２０１３−５０４１１０「共通電極の駆動方法及び回路、ならびに液晶ディスプレー」拒絶査定不服審判事件〔平成２３年１０月２０日国際公開、ＷＯ２０１１／１２７８４１、平成２５年　６月２０日国内公表、特表２０１３−５２５８３２〕について、次のとおり審決する。
【結　論】
　本件審判の請求は、成り立たない。
【理　由】
第１　手続の経緯
　本願は、２０１１年４月１８日（パリ条約による優先権主張　外国庁受理　２０１０年４月１６日　中国）を国際出願日とする出願であって、平成２７年２月１７日付けの拒絶理由通知に対して同年５月２５日付けで手続補正がなされるとともに意見書が提出されたが、同年１０月１３日付け（同年同月１９日送達）で拒絶査定がなされ、これに対し、平成２８年２月１９日付けで拒絶査定不服審判が請求されるとともに手続補正がなされたものである。
第２　本願発明
１　本願発明
　本願の請求項４に係る発明（以下「本願発明」という。）は、次のとおりである。
「液晶ディスプレーであって、
　液晶パネルと、
　液晶パネルを駆動する駆動装置とを備え、
　前記液晶パネルは、アレイ基板とカラーフィルタ基板とをセル化することで形成され、それらの間に液晶層が充填され、前記駆動装置は、ゲート駆動装置、データ駆動装置および共通電極駆動装置を備え、
　前記共通電極駆動装置は、アレイ基板上の各行画素の蓄積電極線に印加する第１共通電極信号および前記アレイ基板において各行画素の画素電極と一緒に液晶容量を形成する共通電極に印加する第２共通電極信号を生成し、かつ生成した第１共通電極信号をそれぞれ各行の画素に入力し、生成した第２共通電極信号を前記共通電極に入力し、
　前記第１共通電極信号は、跳躍変化時に対応する行の画素のゲートに印加されるゲート信号と反対であり、
　対応する行の画素に印加される、前記第１共通電極信号と前記ゲート信号は、同期して跳躍変化し、
　跳躍変化後の前記第１共通電極信号のレベルと跳躍変化前の前記第１共通電極信号のレベルとの差の極性は、跳躍変化後の対応する行の画素に印加される前記ゲート信号のレベルと跳躍変化前に対応する行の画素に印加される前記ゲート信号のレベルとの差の極性と反対であり、
　前記共通電極駆動装置は、
　前記第２共通電極信号を生成する第１駆動信号生成ユニットと、
　跳躍変化シーケンス信号を生成し、前記跳躍変化シーケンス信号を前記第１駆動信号生成ユニットが生成する前記第２共通電極信号に重畳して前記第１共通電極信号を生成する第２駆動信号生成ユニットと、を備えることを特徴とする液晶ディスプレー。」
２　引用例及びその記載事項
（１）原査定の拒絶の理由に引用され、本願の優先権主張の基礎となる出願の日前に頒布された刊行物である特開平６−４３４２７号公報（平成６年２月１８日公開、以下「引用例」という。）には、図面とともに以下の事項が記載されている（なお、下線は当審で付した。）。
ａ「【０００１】
【産業上の利用分野】
本発明は、
液晶表示装置のアクティブマトリクス駆動を行う駆動回路に関する。
【０００２】
【従来の技術】
アクティブマトリクス駆動を行う液晶表示装置は、
直交する複数のソースライン１１とゲートライン１２との各交点に、薄膜トランジスタＱをマトリクス状に接続した構成である。そして、各薄膜トランジスタＱには、画素ごとに液晶層を介して対向電極との間に形成される画素容量ＣＰと、この画素容量ＣＰで保持する電荷を補うための補助容量ＣＳとが接続されている。また、これら画素容量ＣＰと補助容量ＣＳとの各対向電極に対し、それぞれ画素容量対向電極電圧Ｖｃｏｍと補助容量対向電極電圧ＶＳとが印加されている。
ｂ「【００２２】
本実施例の駆動回路は、図１に示すように、液晶表示装置１における各画素の画素容量ＣＰと補助容量ＣＳとの各対向電極に印加する画素容量対向電極電圧Ｖｃｏｍと補助容量対向電極電圧ＶＳとを、対向電極電源回路５から供給する。ただし、補助容量対向電極電圧ＶＳについては、対向電極電源回路５から電圧推移回路６を介して液晶表示装置１に供給する。電圧推移回路６は、対向電極電源回路５が出力する補助容量対向電極電圧ＶＳを、所定のタイミングで一旦低下させる回路であり、後に説明する走査回路４が各ゲート信号ＶＧをアクティブにする期間に同期して、この補助容量対向電極電圧ＶＳを低下させる。
【００２３】
シリアル信号としてシフトレジスタ２に入力された
表示信号Ｖｓｉｇは、
ドライバ回路３を介し液晶表示装置１
に送られる。
ｃ「【００２６】
上記構成の駆動回路の動作を図２に基づいて説明する。
【００２７】
液晶表示装置１の或るゲートライン１２のゲート信号ＶＧが立ち上がりアクティブになると、前記図３に示した薄膜トランジスタＱが導通する。薄膜トランジスタＱに接続される画素容量ＣＰと補助容量ＣＳとの電位が、そのときソースライン１１に送られた表示信号Ｖｓｉｇのレベルまで上昇又は下降する。ただし、ゲート信号ＶＧが立ち下がり非アクティブに戻ると、画素容量ＣＰと補助容量ＣＳとに蓄積された電荷の一部が、薄膜トランジスタＱのゲートと画素との間のゲート容量ＣＧに奪われることになる。これによって、従来技術においてゲート信号ＶＧが立ち下がった際に、画素容量ＣＰの電位ＶＰが低下していた。
【００２８】
ところが、本発明では、
ゲート信号ＶＧが立ち上がりアクティブとなっている期間に、電圧推移回路６が補助容量対向電極電圧ＶＳを低下させる。
ゲート信号ＶＧが立ち下がると共に補助容量対向電極電圧ＶＳがもとの電位に上昇する
ｄ　図２及び図２に対応する「【００２８】‥‥‥ゲート信号ＶＧが立ち上がりアクティブとなっている期間に、電圧推移回路６が補助容量対向電極電圧ＶＳを低下させる。‥‥‥ゲート信号ＶＧが立ち下がると共に補助容量対向電極電圧ＶＳがもとの電位に上昇する」との記載から、「補助容量対向電極電圧ＶＳは、ゲート信号ＶＧが立ち下がっている場合に、ＶＳ＝Ｖｃｏｍであり、ゲート信号ＶＧが立ち上がっている場合に、ＶＳ＝Ｖｃｏｍ−ＶＳａ（ＶＳａは補助容量対向電極電圧ＶＳを低下させる電位差である。）である」ことが示されている。
　また、図２には、「画素容量対向電極電圧Ｖｃｏｍは一定である」ことが示されている。
ア　上記ａ（段落【０００１】）には、「液晶表示装置のアクティブマトリクス駆動を行う駆動回路」が記載されている。
イ　上記ａ（段落【０００２】）には、「直交する複数のソースライン１１とゲートライン１２との各交点に、液晶表示装置は、薄膜トランジスタＱをマトリクス状に接続した構成であり、各薄膜トランジスタＱには、画素ごとに液晶層を介して対向電極との間に形成される画素容量ＣＰと、この画素容量ＣＰで保持する電荷を補うための補助容量ＣＳとが接続されている」ことが記載されている。
ウ　上記ａ（段落【０００２】）には、「これら画素容量ＣＰと補助容量ＣＳとの各対向電極に対し、それぞれ画素容量対向電極電圧Ｖｃｏｍと補助容量対向電極電圧ＶＳとが印加され」ることが記載されており、 ここで、上記ｂ（段落【００２２】）の「画素容量対向電極電圧Ｖｃｏｍと補助容量対向電極電圧ＶＳとを、対向電極電源回路５から供給し、ただし、補助容量対向電極電圧ＶＳについては、対向電極電源回路５から電圧推移回路６を介して液晶表示装置１に供給する。」との記載から、画素容量対向電極電圧Ｖｃｏｍと補助容量対向電極電圧ＶＳは、対向電極電源回路５から供給されるものであり、補助容量対向電極電圧ＶＳについては、対向電極電源回路５から電圧推移回路６を介して液晶表示装置１の補助容量ＣＳの対向電極に印加されるものといえるから、引用例には、「画素容量ＣＰと補助容量ＣＳとの各対向電極に対し、それぞれ、対向電極電源回路５から供給される画素容量対向電極電圧Ｖｃｏｍと、対向電極電源回路５から電圧推移回路６を介して供給される補助容量対向電極電圧ＶＳが印加される」ことが記載されているということができる。
エ　
（ア）上記ｂ（段落【００２２】）には、「電圧推移回路６は、対向電極電源回路５が出力する補助容量対向電極電圧ＶＳを、所定のタイミングで一旦低下させる回路であり、走査回路４が各ゲート信号ＶＧをアクティブにする期間に同期して、この補助容量対向電極電圧ＶＳを低下させる」ことが記載されている。
  ここで、対向電極電源回路５が出力する補助容量対向電極電圧ＶＳを、所定のタイミングで一旦低下させる回路である電圧推移回路６について、上記ｃ（段落【００２８】には、「ゲート信号ＶＧが立ち上がりアクティブとなっている期間に、電圧推移回路６が補助容量対向電極電圧ＶＳを低下させ、ゲート信号ＶＧが立ち下がると共に補助容量対向電極電圧ＶＳがもとの電位に上昇する」ことが記載されていることから、引用例には、「電圧推移回路６は、対向電極電源回路５が出力する補助容量対向電極電圧ＶＳを、走査回路４が各ゲート信号ＶＧを立ち上がりアクティブにする期間に同期して、補助容量対向電極電圧ＶＳを低下させ、ゲート信号ＶＧが立ち下がると共に補助容量対向電極電圧ＶＳがもとの電位に上昇する」ことが記載されているということができる。
（イ）上記（ア）に関連して、引用例の図２、段落【００２８】には、「補助容量対向電極電圧ＶＳは、ゲート信号ＶＧが立ち下がっている場合に、ＶＳ＝Ｖｃｏｍであり、ゲート信号ＶＧが立ち上がっている場合に、ＶＳ＝Ｖｃｏｍ−ＶＳａ（ＶＳａは補助容量対向電極電圧ＶＳを低下させる電位差である。）である」ことが示されており（上記ｄ）、上記（ア）において、「電圧推移回路６は、対向電極電源回路５が出力する補助容量対向電極電圧ＶＳを、走査回路４が各ゲート信号ＶＧを立ち上がりアクティブにする期間に同期して、補助容量対向電極電圧ＶＳを低下させ、ゲート信号ＶＧが立ち下がると共に補助容量対向電極電圧ＶＳがもとの電位に上昇する」することは、「電圧推移回路６は、対向電極電源回路５が出力する補助容量対向電極電圧ＶＳを、走査回路４が各ゲート信号ＶＧを立ち上がりアクティブにする期間に同期して、補助容量対向電極電圧ＶＳをＶＳ＝Ｖｃｏｍ−ＶＳａ（ＶＳａは補助容量対向電極電圧ＶＳを低下させる電位差である。）とし、ゲート信号ＶＧが立ち下がると共に補助容量対向電極電圧ＶＳをもとの電位であるＶＳ＝Ｖｃｏｍとする」ことということができる。
オ　引用例の図２には、「画素容量対向電極電圧Ｖｃｏｍは一定である」ことが示されている（上記ｄ）。
カ　上記ｂ（段落【００２３】）には、「表示信号Ｖｓｉｇは、ドライバ回路３を介し液晶表示装置１に送られる」ことが記載されている。
　したがって、上記引用例に記載された事項、図面の記載、及び上記アないしカを総合すると、引用例には、次の事項が記載されている（以下、引用発明という。）。
「　液晶表示装置のアクティブマトリクス駆動を行う駆動回路であって、
　直交する複数のソースライン１１とゲートライン１２との各交点に、液晶表示装置は、薄膜トランジスタＱをマトリクス状に接続した構成であり、
　各薄膜トランジスタＱには、画素ごとに液晶層を介して対向電極との間に形成される画素容量ＣＰと、この画素容量ＣＰで保持する電荷を補うための補助容量ＣＳとが接続されており、
　画素容量ＣＰと補助容量ＣＳとの各対向電極に対し、それぞれ、対向電極電源回路５から供給される画素容量対向電極電圧Ｖｃｏｍと、対向電極電源回路５から電圧推移回路６を介して供給される補助容量対向電極電圧ＶＳ が印加され、
　電圧推移回路６は、対向電極電源回路５が出力する補助容量対向電極電圧ＶＳを、走査回路４が各ゲート信号ＶＧを立ち上がりアクティブにする期間に同期して、補助容量対向電極電圧ＶＳをＶＳ＝Ｖｃｏｍ−ＶＳａ（ＶＳａは補助容量対向電極電圧ＶＳを低下させる電位差である。）とし、ゲート信号ＶＧが立ち下がると共に補助容量対向電極電圧ＶＳをもとの電位であるＶＳ＝Ｖｃｏｍとし、
　画素容量対向電極電圧Ｖｃｏｍは一定であり、
  表示信号Ｖｓｉｇは、ドライバ回路３を介し液晶表示装置１に送られる、
　液晶表示装置のアクティブマトリクス駆動を行う駆動回路。」
３　対比
　本願発明と引用発明とを対比する。
（１）引用発明は「液晶表示装置のアクティブマトリクス駆動を行う駆動回路」であって、「液晶表示装置」は、「駆動回路」からみて「アクティブマトリクス駆動」が行われる表示装置自体と捉えることができ、ここで、液晶表示装置を液晶表示パネルにより構成することは常套手段であるから、引用発明の「液晶表示装置」は、本願発明の「液晶パネル」に相当する。
（２）引用発明の「駆動回路」は、「液晶表示装置のアクティブマトリクス駆動を行う」ものであるから、本願発明の「液晶パネルを駆動する駆動装置」に相当する。
　また、本願発明の「液晶ディスプレー」は、「液晶パネルと、液晶パネルを駆動する駆動装置とを備え」るものであるから、引用発明の「液晶表示装置」及び「液晶表示装置のアクティブマトリクス駆動を行う駆動回路」を併せたものは、本願発明の「液晶ディスプレー」に相当する。
（３）引用発明の「液晶表示装置」は、「直交する複数のソースライン１１とゲートライン１２との各交点に、薄膜トランジスタＱをマトリクス状に接続した構成であり、各薄膜トランジスタＱには、画素ごとに液晶層を介して対向電極との間に形成される画素容量ＣＰと、この画素容量ＣＰで保持する電荷を補うための補助容量ＣＳとが接続されて」いることから、ソースライン１１、ゲートライン１２及び薄膜トランジスタＱが配列された構成であるということができ、これをアレイ基板で形成されることは常套手段であり、また、液晶表示装置の各薄膜トランジスタＱと対向電極との間に液晶層が充填されているということができる。
　したがって、引用発明において「液晶表示装置は、直交する複数のソースライン１１とゲートライン１２との各交点に、薄膜トランジスタＱをマトリクス状に接続した構成であり、各薄膜トランジスタＱには、画素ごとに液晶層を介して対向電極との間に形成される画素容量ＣＰと、この画素容量ＣＰで保持する電荷を補うための補助容量ＣＳとが接続されて」いることと、本願発明の「前記液晶パネルは、アレイ基板とカラーフィルタ基板とをセル化することで形成され、それらの間に液晶層が充填され」ることとは、「前記液晶パネルは、アレイ基板で形成され、液晶層が充填され」る点で共通する。
（４）
ア　引用発明の「走査回路４」は、「各ゲート信号ＶＧを立ち上がりアクティブにする」ものであって、「ゲート駆動装置」ということができ、引用発明の「駆動回路」（本願発明の駆動装置」に相当（上記（２）））を構成するものであるから、引用発明の「駆動回路」が「走査回路４」を有することは、本願発明の「前記駆動装置は、ゲート駆動装置」を備えることに相当する。
イ　引用発明の「表示信号Ｖｓｉｇ」は、「ドライバ回路３を介し液晶表示装置１に送られる」ものであって、表示信号はデータを含む信号と捉えることができるから、「ドライバ回路３」は「データ駆動装置」ということができる。そして、引用発明の「駆動回路」（本願発明の「駆動装置」に相当（上記（２）））を構成するものであるから、引用発明の「駆動回路」が「ドライバ回路３」を有することは、本願発明の「前記駆動装置は、」「データ駆動装置」を備えることに相当する。
ウ　引用発明において、「画素容量ＣＰと補助容量ＣＳとの各対向電極」は、「共通電極」と捉えることができるから、各対向電極に画素容量対向電極電圧Ｖｃｏｍ、補助容量対向電極電圧ＶＳを印加する、引用発明の「対向電極電源回路５」及び「電圧推移回路６」は、本願発明の「共通電極駆動装置」に相当する。
　そして、「対向電極電源回路５」及び「電圧推移回路６」は、引用発明の「駆動回路」（本願発明の駆動装置」に相当（上記（２）））を構成するものであるから、引用発明の「駆動回路」が「対向電極電源回路５」及び「電圧推移回路６」を有することは、本願発明の「前記駆動装置は、」「共通電極駆動装置」を備えることに相当する。
（５）
ア　
（ア）引用発明において、「補助容量対向電極電圧ＶＳ」は、「補助容量ＣＳ」の、「共通電極」である「対向電極」（上記（４）ウ）に対し印加される電圧であるから、本願発明の「第１共通電極信号」に相当する。
　そして、「補助容量ＣＳ」は、「画素容量ＣＰで保持する電荷を補うための補助容量ＣＳ」であるから、画素容量ＣＰとともに電荷を蓄積するものであり、ここで、アレイ基板上の各行画素の補助容量ＣＳの対向電極に電極線を設けることは常套手段であって、この電極線を蓄積電極線というとすると、引用発明の「補助容量ＣＳ」の「対向電極」に対し、印加される「補助容量対向電極電圧ＶＳ」は、本願発明の「アレイ基板上の各行画素の蓄積電極線に印加する第１共通電極信号」に相当する。
（イ）また、引用発明において、「対向電極電源回路５から電圧推移回路６を介して供給される補助容量対向電極電圧ＶＳ」は、「対向電極電源回路５」及び「電圧推移回路６」（本願発明の「共通電極駆動装置」に相当（上記（４）ウ））が「補助容量対向電極電圧ＶＳ」を生成することと捉えることができ、上記（ア）を踏まえると、引用発明において、「対向電極電源回路５」及び「電圧推移回路６」が「補助容量対向電極電圧ＶＳ」を生成し、「補助容量ＣＳ」の「対向電極」に対し、「補助容量対向電極電圧ＶＳ 」を印加することは、本願発明の「前記共通電極駆動装置は、アレイ基板上の各行画素の蓄積電極線に印加する第１共通電極信号」「を生成」し「かつ生成した第１共通電極信号をそれぞれ各行の画素に入力」することに相当する。
イ　引用発明において、「対向電極電源回路５から供給される画素容量対向電極電圧Ｖｃｏｍ」は、「画素容量ＣＰ」に対する「共通電極」である「対向電極」（上記（４）ウ）に対し印加される電圧であるから、本願発明の「第２共通電極信号」に相当する。
　一方、引用発明において「画素容量ＣＰ」の「対向電極」は、画素の画素電極と液晶容量を形成する電極であるということができ、また、対向電極を、アレイ基板において各行画素の画素電極と一緒に液晶容量を形成する共通電極として構成することは常套手段である。
　そして、「画素容量対向電極電圧Ｖｃｏｍ」を供給する「対向電極電源回路５」は、「画素容量対向電極電圧Ｖｃｏｍ」を生成するものということができ、「電圧推移回路６」とともに、本願発明の「共通電極駆動装置」に相当するものである（上記４（ウ））から、引用発明において、「対向電極電源回路５」が「画素容量対向電極電圧Ｖｃｏｍ」を生成し、「画素容量ＣＰ」の「対向電極」に対し、「画素容量対向電極電圧Ｖｃｏｍ」を印加することは、本願発明の「前記共通電極駆動装置は、」「前記アレイ基板において各行画素の画素電極と一緒に液晶容量を形成する共通電極に印加する第２共通電極信号を生成し、生成した第２共通電極信号を前記共通電極に入力」することに相当する。
（６）引用発明は、「対向電極電源回路５が出力する補助容量対向電極電圧ＶＳを、走査回路４が各ゲート信号ＶＧを立ち上がりアクティブにする期間に同期して、補助容量対向電極電圧ＶＳをＶＳ＝Ｖｃｏｍ−ＶＳａ（ＶＳａは補助容量対向電極電圧ＶＳを低下させる電位差である。）とし、ゲート信号ＶＧが立ち下がると共に補助容量対向電極電圧ＶＳをもとの電位であるＶＳ＝Ｖｃｏｍと」するものであって、「補助容量対向電極電圧ＶＳ」（本願発明の「第１共通電極信号」に相当（上記（５）ア（ア））は、ゲート信号ＶＧの立ち上げに同期して低下させ、ゲート信号ＶＧの立ち下げに同期して上昇させているから、ゲート信号ＶＧと反対方向の電圧を印加するものということができ、また、このような電圧の変化時は、跳躍変化時ということができる。
　そして、ゲート信号を行の画素に印加することは常套手段であるから、引用発明において「対向電極電源回路５が出力する補助容量対向電極電圧ＶＳを、走査回路４が各ゲート信号ＶＧを立ち上がりアクティブにする期間に同期して、補助容量対向電極電圧ＶＳをＶＳ＝Ｖｃｏｍ−ＶＳａ」とし、「ゲート信号ＶＧが立ち下がると共に補助容量対向電極電圧ＶＳをもとの電位であるＶＳ＝Ｖｃｏｍと」することは、本願発明の「前記第１共通電極信号は、跳躍変化時に対応する行の画素のゲートに印加されるゲート信号と反対であり、対応する行の画素に印加される、前記第１共通電極信号と前記ゲート信号は、同期して跳躍変化」することに相当する。
（７）上記（６）に記載したように、引用発明は、ゲート信号ＶＧの立ち上げに同期して低下させ、ゲート信号ＶＧの立ち下げに同期して上昇させているから、ゲート信号ＶＧと反対方向の電圧を印加するものということができ、また、このような電圧の変化時は、跳躍変化時ということができる。
　したがって、ゲート信号ＶＧの跳躍変化後の補助容量対向電極電圧ＶＳと跳躍変化前の補助容量対向電極電圧ＶＳ との差の極性は、跳躍変化後の対応する画素に印加されるゲート信号ＶＧのレベルと跳躍変化前に対応する画素に印加されるゲート信号ＶＧのレベルとの差の極性と反対であるということができ、また、ゲート信号を行の画素に印加することは常套手段であるから、引用発明において、ゲート信号ＶＧの立ち上げに同期して低下させ、ゲート信号ＶＧの立ち下げに同期して上昇させること（上記（６））は、本願発明の「跳躍変化後の前記第１共通電極信号のレベルと跳躍変化前の前記第１共通電極信号のレベルとの差の極性は、跳躍変化後の対応する行の画素に印加される前記ゲート信号のレベルと跳躍変化前に対応する行の画素に印加される前記ゲート信号のレベルとの差の極性と反対であ」ることに相当する。
（８）
ア　引用発明は、「画素容量ＣＰ」の「対向電極に対し、」「対向電極電源回路５から供給される画素容量対向電極電圧Ｖｃｏｍ」が「印加され」るものであるから、画素容量対向電極電圧Ｖｃｏｍ を供給する対向電極電源回路５は、画素容量対向電極電圧Ｖｃｏｍを生成する駆動信号生成回路と捉えることができ、ここで、「対向電極電源回路５」は「電圧推移回路６」とともに、本願発明の「共通電極駆動装置」に相当し（上記（４）ウ）、「画素容量対向電極電圧Ｖｃｏｍ」は本願発明の「第２共通電極信号」に相当する（上記（５）イ）から、引用発明において、「画素容量対向電極電圧Ｖｃｏｍ 」を供給する「対向電極電源回路５」を備えていることは、本願発明の「前記共通電極駆動装置は、前記第２共通電極信号を生成する第１駆動信号生成ユニット」「を備え」ていることと、「前記共通電極駆動装置は、前記第２共通電極信号を生成する第１駆動信号生成回路」「を備え」ている点で共通する。
イ　引用発明は、「補助容量ＣＳ」の「対向電極」に対し、「対向電極電源回路５から電圧推移回路６を介して供給される補助容量対向電極電圧ＶＳ が印加され」るものであって、補助容量対向電極電圧ＶＳは、対向電極電源回路５から電圧推移回路６を介して補助容量ＣＳの対向電極に印加されるから、電圧推移回路６は、補助容量対向電極電圧ＶＳを生成する駆動信号生成回路と捉えることができる。
　ここで、補助容量対向電極電圧ＶＳについて、引用発明は、ゲート信号ＶＧが立ち下がっている状態においては、補助容量対向電極電圧ＶＳは、画素容量対向電極電圧Ｖｃｏｍ の電圧レベルであり（ＶＳ＝Ｖｃｏｍ）、 ゲート信号ＶＧが立ち上がりアクティブとなっている状態では、 補助容量対向電極電圧ＶＳは、画素容量対向電極電圧Ｖｃｏｍ を基準に、ＶＳａのみ低下する（ＶＳ＝Ｖｃｏｍ−ＶＳａ）ものであるから、補助容量対向電極電圧ＶＳは、画素容量対向電極電圧Ｖｃｏｍ を基準に推移するということができ、このように ゲート信号ＶＧに応じて、Ｖｃｏｍを基準にＶＳａのみ変化する信号は、跳躍変化シーケンス信号ということができる。
　したがって、引用発明における「電圧推移回路６」（「電圧推移回路６」は「対向電極電源回路５」とともに、本願発明の「共通電極駆動装置」に相当（上記（４）ウ））は、跳躍変化シーケンス信号を生成し、跳躍変化シーケンス信号を、画素容量対向電極電圧Ｖｃｏｍを基準に重畳してするものということができるから、上記アをも踏まえると、本願発明の「前記共通電極駆動装置は、」「跳躍変化シーケンス信号を生成し、前記跳躍変化シーケンス信号を前記第１駆動信号生成ユニットが生成する前記第２共通電極信号に重畳して前記第１共通電極信号を生成する第２駆動信号生成ユニットと、を備え」ていることと、「前記共通電極駆動装置は、」「跳躍変化シーケンス信号を生成し、前記跳躍変化シーケンス信号を第２共通電極信号に重畳して前記第１共通電極信号を生成する第２駆動信号生成回路と、を備え」ている点で共通する。
　すると、本願発明と引用発明とは、次の＜一致点＞及び＜相違点＞を有する。
＜一致点＞
「液晶ディスプレーであって、
　液晶パネルと、
　液晶パネルを駆動する駆動装置とを備え、
　前記液晶パネルは、アレイ基板で形成され、液晶層が充填され、前記駆動装置は、ゲート駆動装置、データ駆動装置および共通電極駆動装置を備え、
　前記共通電極駆動装置は、アレイ基板上の各行画素の蓄積電極線に印加する第１共通電極信号および前記アレイ基板において各行画素の画素電極と一緒に液晶容量を形成する共通電極に印加する第２共通電極信号を生成し、かつ生成した第１共通電極信号をそれぞれ各行の画素に入力し、生成した第２共通電極信号を前記共通電極に入力し、
　前記第１共通電極信号は、跳躍変化時に対応する行の画素のゲートに印加されるゲート信号と反対であり、
　対応する行の画素に印加される、前記第１共通電極信号と前記ゲート信号は、同期して跳躍変化し、
　跳躍変化後の前記第１共通電極信号のレベルと跳躍変化前の前記第１共通電極信号のレベルとの差の極性は、跳躍変化後の対応する行の画素に印加される前記ゲート信号のレベルと跳躍変化前に対応する行の画素に印加される前記ゲート信号のレベルとの差の極性と反対であり、
　前記共通電極駆動装置は、
　前記第２共通電極信号を生成する第１駆動信号生成回路と、
　跳躍変化シーケンス信号を生成し、前記跳躍変化シーケンス信号を前記第２共通電極信号に重畳して前記第１共通電極信号を生成する第２駆動信号生成回路と、を備えることを特徴とする液晶ディスプレー。」
＜相違点＞
（ア）本願発明は、「前記液晶パネルは、アレイ基板とカラーフィルタ基板とをセル化することで形成され、それらの間に」液晶層が充填されているのに対し、引用発明は、液晶層を有するものの、どの部分に液晶層を有するのか特定がない点。
（イ）跳躍変化シーケンス信号を重畳する「第２共通電極信号」について、本願発明は「第１駆動信号生成ユニットが生成する」前記第２共通電極信号に重畳するのに対し、引用発明は、このような特定がない点。
（ウ）第１駆動信号生成回路、第２駆動信号生成回路について、本願発明は、「第１駆動信号生成ユニット」、「第２駆動信号生成ユニット」であるのに対し、引用発明は、ユニットであるとの特定がない点。
４　判断
＜相違点＞（ア）について
　一般に、前記液晶パネルをアレイ基板とカラーフィルタ基板とをセル化することで形成し、それらの間に液晶層を設けることは、例えば、特開２００６−２０１７６４号公報（段落【００２９】「‥‥‥図２を参照すると、液晶表示パネルは、アレイ基板、液晶層、及びアレイ基板との合体を通じてその間に液晶層を介在させるカラーフィルタ基板を含む。」参照。なお、セル化することは自明である。）に記載されているように周知であるから、引用発明の液晶パネルとして、アレイ基板とカラーフィルタ基板とをセル化することで形成され、それらの間に液晶層が充填されている周知な液晶パネルを用いることは、当業者が容易に想到し得る事項である。
　よって、本願発明の＜相違点＞（ア）に係る構成のようにすることは格別なことではない。
＜相違点＞（ウ）について
　＜相違点＞（イ）に係る本願発明が「対向電極電源回路５」を備えていることに鑑み、＜相違点＞（ウ）について先に検討する。
　一般に、特定の機能を有する回路を、ユニット化することは、当業者が適宜なし得ることである。
　したがって、引用発明において、「対向電極電源回路５」（本願発明の第１駆動信号ユニットに対応（上記３（８）ア））及び「電圧推移回路６」（本願発明の第２駆動信号ユニットに対応（上記３（８）イ））をユニット化することは当業者が適宜なし得る事項である。
　よって、本願発明の＜相違点＞（ウ）に係る構成のようにすることは格別なことではない。
＜相違点＞（イ）について
　引用発明は、「対向電極電源回路５から電圧推移回路６を介して供給される補助容量対向電極電圧ＶＳ が印加され」るものであって、「補助容量対向電極電圧ＶＳ 」については、「走査回路４が各ゲート信号ＶＧを立ち上がりアクティブにする期間に同期して、補助容量対向電極電圧ＶＳをＶＳ＝Ｖｃｏｍ−ＶＳａ（ＶＳａは補助容量対向電極電圧ＶＳを低下させる電位差である。）とし、ゲート信号ＶＧが立ち下がると共に補助容量対向電極電圧ＶＳをもとの電位であるＶＳ＝Ｖｃｏｍと」するものである。
　ここで、補助容量対向電極電圧ＶＳは、「対向電極電源回路５から電圧推移回路６を介して供給される」ものであって、電圧推移回路６はＶｃｏｍを用いるものであるから、電圧推移回路６には、対向電極電源回路５が出力するＶｃｏｍが供給されることは当業者が容易に想到し得るものである。
　したがって、引用発明における電圧推移回路６において、Ｖｃｏｍを基準にＶＳａのみ変化する信号（本願発明の「跳躍変化シーケンス信号」に相当（上記３（８）イ）。）を生成するにあたり、同じ「駆動装置」内に設けられた対向電極電源回路５が生成する画素容量対向電極電圧Ｖｃｏｍを重畳の基準として用いることに格別の困難性を有しない。
　一方、引用発明の「対向電極電源回路５」をユニット化することは当業者が適宜なし得る事項である（上記＜相違点＞（ウ）について）。
　したがって、本願発明のように、跳躍変化シーケンス信号を「第１駆動信号生成ユニットが生成する」第２共通電極信号に重畳することに格別の困難性を有さない。
　よって、本願発明の＜相違点＞（イ）に係る構成のようにすることは格別なことではない。
　そして、上記相違点を総合的に判断しても、本願発明が奏する効果は引用発明及び周知な事項から当業者が十分に予測できたものであって格別なものとはいえない。
　よって、本願発明は、引用発明及び周知な事項に基づいて、当業者が容易に発明をすることができたものである。
５　むすび
　以上のとおり、本願発明は、特許法第２９条第２項の規定により特許を受けることができないものであるから、他の請求項に係る発明について審理するまでもなく、本願は拒絶すべきものである。
　よって、結論のとおり審決する。